(57)【要約】【課題】工事現場等の撮影データの信憑性を保証する。【解決手段】画像撮影システム１００は、工事を発注するための発注者ＰＣ５と、工事を実施するための施工者ＰＣ４と、各工事現場の作業工程の撮影データを管理するサーバ３と、工事現場に設置され、撮影データの信憑性を保証するための認証データ（認証番号）を表示する認証データ表示装置１とから構成される。認証データ表示装置１は、認証データをサーバ３から受信して表示部１１１に表示し、撮影対象と表示部１１１に表示された認証データとを同一画像内に含む撮影データを撮影装置２から取得し、当該取得された撮影データと認証データとを関連付ける。【選択図】図１
2006101083.tif 000002
【特許請求の範囲】
【請求項１】
被写体の撮影データを管理するサーバと、前記撮影データの信憑性を保証するための認証データを表示する認証データ表示装置とを備える画像撮影システムであって、
前記認証データ表示装置は、
前記認証データを前記サーバから受信して表示する表示手段と、
被写体と前記表示手段に表示された認証データとを同一画像内に含む撮影データを撮影装置から取得し、当該取得された撮影データと前記認証データとの関連付けを行う関連付け手段と、
を備えることを特徴とする画像撮影システム。
【請求項２】
前記サーバは、
工事に関するデータを記憶する記憶手段と、
前記サーバに通信ネットワークを介して接続されたクライアントコンピュータから指定されたデータを前記記憶手段から検索する検索手段と、
前記検索手段による検索で得られたデータを前記クライアントコンピュータへ送信する第１の送信手段と、
前記認証データを生成する生成手段と、
前記生成手段により生成された認証データを前記認証データ表示装置へ送信する第２の送信手段と、
を備えることを特徴とする請求項１に記載の画像撮影システム。
【請求項３】
前記サーバは、
前記認証データ表示装置から前記撮影データを受信する受信手段と、
前記受信手段により撮影データが受信された際、１又は複数の工程から成る工事が完了したか否かを判定し、当該工事が完了したと判定された場合、前記記憶手段に記憶されたデータに基づいて当該工事の完了報告書を作成する作成手段と、
前記作成手段により作成された完了報告書を前記クライアントコンピュータへ送信する第３の送信手段と、
を備えることを特徴とする請求項２に記載の画像撮影システム。
【請求項４】
前記認証データ表示装置は、
前記サーバに前記認証データの送信を要求する際に、現在日時を示す日時データを当該サーバに送信することを特徴とする請求項１〜３の何れか一項に記載の画像撮影システム。
【請求項５】
前記認証データ表示装置は、
前記サーバに前記認証データの送信を要求する際に、認証データ表示装置の現在位置を示す位置データを当該サーバに送信することを特徴とする請求項１〜３の何れか一項に記載の画像撮影システム。
【請求項６】
前記認証データ表示装置は、
前記サーバから前記認証データを受信後、所定の時間が経過した場合、前記サーバへ前記認証データの送信を再度要求することを特徴とする請求項１〜５の何れか一項に記載の画像撮影システム。
【請求項７】
前記サーバは、
前記認証データ表示装置から日時データが受信された際に、当該受信された日時データと、予め設定された前記工事に関するデータの日時データを比較し、比較結果を当該認証データ表示装置に送信することを特徴とする請求項４に記載の画像撮影システム。
【請求項８】
前記サーバは、
前記認証データ表示装置から位置データが受信された際に、当該受信された位置データと、予め設定された前記工事に関するデータの位置データを比較し、比較結果を当該認証データ表示装置に送信することを特徴とする請求項５に記載の画像撮影システム。
【発明の詳細な説明】
【技術分野】
【０００１】
本発明は、画像撮影システムに関する。
【背景技術】
【０００２】
一般に、公共工事等においては、工事現場における作業工程（作業状況）を、工程に関するデータ（工事名、工程名、日時、場所等）とともに、銀塩カメラ或いはデジタルカメラ等の撮影装置で撮影することにより、工事の進捗状況等の報告資料が作成されている。このような画像撮影システムでは、例えば、黒板又はホワイトボードに、作業工程に関するデータが書き込まれ、その書き込まれたデータが、現場の撮影対象とともに撮影装置で同一のコマで撮影されている。
【０００３】
また、作業状況を撮影する撮影装置として、特許文献１では、作業仕様を記入した紙片を保持する保持部と、その紙片を撮影する紙片撮影用光学系とを設け、１コマ分の領域の一部に、その紙片の画像を結像させる作業状況撮影用カメラが開示されている。
【０００４】
更に、特許文献２では、工事内容を撮影した画像データからその工事に固有の暗号キーを適用して画像代表データを生成し、この画像代表データを工事内容に対応付けして認証コンピュータに保管しておくことで、オリジナルの工事画像の証拠保全を行うことができる工事画像データ管理システムが開示されている。
【特許文献１】特開平７−２１９０２２号公報
【特許文献２】特開２００３−１８６９５１号公報
【発明の開示】
【発明が解決しようとする課題】
【０００５】
しかしながら、特許文献１のように、紙片等に書き込まれた工程に関するデータを撮影する従来の画像撮影システムでは、書き込まれたデータ自体の信憑性が保証できない上に、操作性が悪いという問題があった。また、特許文献２では、工事内容を撮影した画像データと認証データを分けて管理しているため、画像データを見ただけでは、その画像の撮影日時や場所等の信憑性を保証することができないという問題があった。
【０００６】
本発明の課題は、工事現場等の撮影データの信憑性を保証することである。
【課題を解決するための手段】
【０００７】
請求項１に記載の発明は、被写体の撮影データを管理するサーバと、前記撮影データの信憑性を保証するための認証データを表示する認証データ表示装置とを備える画像撮影システムであって、前記認証データ表示装置は、前記認証データを前記サーバから受信して表示する表示手段と、被写体と前記表示手段に表示された認証データとを同一画像内に含む撮影データを撮影装置から取得し、当該取得された撮影データと前記認証データとの関連付けを行う関連付け手段と、備えることを特徴としている。
【発明の効果】
【０００８】
本発明によれば、撮影データの信憑性を保証するための認証データを認証データ表示装置に表示し、その表示されたデータを、撮影対象とともに同一の画像内に撮影するようにしたことにより、当該撮影データの信憑性を保証するとともに、撮影データの改竄を防止することができる。
【発明を実施するための最良の形態】
【０００９】
以下、図面を参照して本発明の実施形態を詳細に説明する。
まず、本実施形態における構成について説明する。
【００１０】
図１に、本実施形態の画像撮影システム１００の全体構成を示す。画像撮影システム１００は、図１に示すように、認証データ表示装置１、撮影装置２、サーバ３、クライアントコンピュータ４、クライアントコンピュータ５により構成される。認証データ表示装置１は、工事現場の撮影データの信憑性を保証するための認証データを表示する装置であり、各工事現場に設置される。撮影装置２は、工事現場における作業工程を撮影するデジタルカメラ等の撮影装置である。サーバ３は、各工事現場における作業工程に関するデータを管理する装置である。クライアントコンピュータ４は、工事を実施する施工者が所有するＰＣ（Personal Computer）等のコンピュータであり、クライアントコンピュータ５は、工事を発注する発注者が所有するＰＣ等のコンピュータである。以下、クライアントコンピュータ４を施工者ＰＣ４と呼び、クライアントコンピュータ５を発注者ＰＣ５と呼ぶことにする。
【００１１】
認証データ表示装置１と撮影装置２は、ブルートゥース等の無線通信又はＵＳＢ（Universal Serial Bus）等の有線通信により接続される。認証データ表示装置１とサーバ３は、ＰＨＳ（Personal Handyphone System）や携帯電話等の移動体通信用の通信ネットワークＮ１を介して接続される。サーバ３と、施工者ＰＣ４及び発注者ＰＣ５は、インターネット等の通信ネットワークＮ２を介して接続される。なお、１台のサーバ３に通信ネットワークＮ１を介して接続される認証データ表示装置１の台数は特に限定されない。同様に、１台のサーバ３に通信ネットワークＮ２を介して接続される施工者ＰＣ４及び発注者ＰＣ５の台数も特に限定されない。
【００１２】
図２に、認証データ表示装置１の外観構成を示す。認証データ表示装置１の前面には、文字／英数字入力キー、カーソルキー等を有するキー入力部１０８と、ＬＣＤ（Liquid Crystal Display）等の表示画面を有する表示部１１１と、表示部１１１の表示画面上を覆うように重畳して設けられたタッチパネル１０９が備えられている。また、認証データ表示装置１の下部の中央には、三脚用のネジ穴（図示略）が設けられている。
【００１３】
図３に、認証データ表示装置１の主要部構成を示す。認証データ表示装置１は、図３に示すように、ＣＰＵ（Central Processing Unit）１０１、ＲＯＭ（Read Only Memory）１０２、ＲＡＭ（Random Access Memory）１０３、Ｖ−ＲＡＭ（Video RAM）１０４、ＧＰＳ（Global Positioning System）位置認識部１０５、計時部１０６、電源部１０７、キー入力部１０８、タッチパネル１０９、スピーカ１１０、表示部１１１、外部記憶部１１２、通信Ｉ／Ｆ１１３、通信Ｉ／Ｆ１１４により構成され、各部は、バス１１５を介して接続される。
【００１４】
ＣＰＵ１０１は、ＲＯＭ１０２に記憶されているシステムプログラムを読み出し、ＲＡＭ１０３内に形成されたワークメモリに展開し、当該システムプログラムに従って、認証データ表示装置１の各部を制御する。また、ＣＰＵ１０１は、ＲＯＭ１０２に記憶されている認証処理プログラム、撮影データ受信処理プログラム等の各種制御処理プログラムを読み出してＲＡＭ１０３のワークメモリに展開し、認証処理（図１０参照）、撮影データ受信処理（図１５参照）等の各種処理を実行する。
【００１５】
ＲＯＭ１０２は、ＣＰＵ１０１により実行されるシステムプログラム、各種制御処理プログラムを記憶する。
【００１６】
ＲＡＭ１０３は、ＣＰＵ１０１により実行されるシステムプログラム、各種制御処理プログラムをプログラム格納エリアに展開する。また、ＲＡＭ１０３は、入力データ及び各種制御処理プログラムの実行時に生じる処理結果等のデータをワークエリアに一時的に格納する。
【００１７】
Ｖ−ＲＡＭ１０４は、表示部１１１に表示するためのデータを保持する。ＧＰＳ位置認識部１０５は、複数のＧＰＳ衛星から発信されたＧＰＳ衛星信号を受信し、この受信されたＧＰＳ衛星信号から自己の現在位置を算出し、算出された現在位置情報（例えば、経度、緯度、高度データ）をＣＰＵ１０１に出力する。
【００１８】
計時部１０６は、ＣＰＵ１０１からの制御信号に従って、指定された時点からの経過時間を計時し、計時結果をＣＰＵ１０１に出力する。電源部１０７は、電池等により構成され、認識データ表示装置１を構成する各部に電力を供給する。
【００１９】
キー入力部１０８は、文字／英数字入力キー、カーソルキー等の各種キーを備え、キーの押下操作による操作信号をＣＰＵ１０１に出力する。タッチパネル１０９は、表示部１１１の表示画面を覆うように設けられており、電磁誘導式、磁気歪式、感圧式等の座標読み取り原理でタッチ指示された座標を検出し、検出した座標を位置信号としてＣＰＵ１０１に出力する。
【００２０】
スピーカ１１０は、ＣＰＵ１０１からの制御信号に従って、指定された音声信号を増幅して外部に出力する。表示部１１１は、ＬＣＤ等の表示画面により構成され、ＣＰＵ１０１から入力される制御信号に従って、表示画面に各種データを表示する。
【００２１】
外部記憶部１１２は、サーバ３からダウンロードされた工事に関するデータとして、図５に示すように、工事テーブルＤ１、工程テーブルＤ２、写真テーブルＤ３を格納する。１つの工事テーブルＤ１に複数の工程テーブルＤ２が付帯し、１つの工程テーブルＤ２に複数の写真テーブルＤ３が付帯している。
【００２２】
工事テーブルＤ１は、各工事に関するデータを格納したテーブルであり、登録番号、工事名、送付先の各項目により構成されている。図６（ａ）に、工事テーブルＤ１の例を示す。「登録番号」は、工事別に設定される番号を示し、「工事名」は、該当する工事の名称を示す。また、「送付先」は、施工者ＰＣ４及び発注者ＰＣ５に設定された電子メールアドレスを示す。この送付先項目に格納された電子メールアドレス宛に、該当する工事の進捗状況、工事完了報告書等のデータが送信されることになる。
【００２３】
工程テーブルＤ２は、工事を構成する各作業工程に関するデータを格納したテーブルであり、登録番号、工程番号、工程名、場所、完了予定日時、認証番号、完了日時の各項目により構成されている。図６（ｂ）に工程テーブルＤ２の例を示す。「登録番号」は、工事別に設定される番号を示し、「工程番号」は、工事を構成する各作業工程別に設定される番号を示し、「工程名」は、該当する作業工程の名称を示す。また、「場所」は、該当する作業工程が実施される場所（位置）を示し、「完了予定日時」は、該当する作業工程の完了予定日時を示す。「認証番号」は、該当する作業工程の撮影データの信憑性を保証するための認証データを示す。「完了日時」は、該当する作業工程が実際に終了した日時を示す。
【００２４】
写真テーブルＤ３は、各作業工程で撮影された写真に関するデータを格納したテーブルであり、工程番号、写真番号、撮影日時の各項目により構成される。図６（ｃ）に、写真テーブルＤ３の例を示す。「工程番号」は、工事を構成する各作業工程別に設定される番号を示し、「写真番号」は、撮影された写真を識別するための番号を示し、「撮影日時」は、該当する写真が撮影された日時を示す。図５に示すように、工事テーブルＤ１と工程テーブルＤ２は、登録番号によりリンクされており、工程テーブルＤ２と写真テーブルＤ３は、工程番号によりリンクされている。
【００２５】
通信Ｉ／Ｆ１１３は、認証データ表示装置１を移動体通信用の通信ネットワークＮ１に接続するためのインターフェースである。通信Ｉ／Ｆ１１４は、認証データ表示装置１を撮影装置２に接続するためのインターフェースである。
【００２６】
図４に、サーバ３の主要部構成を示す。サーバ３は、図４に示すように、ＣＰＵ３０１、ＲＯＭ３０２、ＲＡＭ３０３、Ｖ−ＲＡＭ３０４、キー入力部３０５、表示部３０６、外部記憶部３０７、通信Ｉ／Ｆ３０８、通信Ｉ／Ｆ３０９により構成され、各部は、バス３１０を介して接続される。
【００２７】
ＣＰＵ３０１は、ＲＯＭ３０２に記憶されているシステムプログラムを読み出し、ＲＡＭ３０３内に形成されたワークメモリに展開し、当該システムプログラムに従って、サーバ３の各部を制御する。また、ＣＰＵ３０１は、ＲＯＭ３０２に記憶されている認証番号生成処理プログラム、撮影データ送受信処理プログラム等の各種制御処理プログラムを読み出してＲＡＭ３０３のワークメモリに展開し、認証番号生成処理（図１２参照）、撮影データ送受信処理（図１６参照）等の各種処理を実行する。
【００２８】
ＲＯＭ３０２は、ＣＰＵ３０１により実行されるシステムプログラム、各種制御処理プログラムを記憶する。ＲＡＭ３０３は、ＣＰＵ３０１により実行されるシステムプログラム、各種制御処理プログラムをプログラム格納エリアに展開する。また、ＲＡＭ３０３は、入力データ及び各種制御処理プログラムの実行時に生じる処理結果等のデータをワークエリアに一時的に格納する。Ｖ−ＲＡＭ３０４は、表示部３０６に表示するためのデータを保持する。
【００２９】
キー入力部３０５は、文字／英数字入力キー、カーソルキー等の各種キーを有するキーボードと、ポインティングデバイスであるマウスを備え、キーボードやマウスの操作信号をＣＰＵ３０１に出力する。表示部３０６は、ＬＣＤ、ＣＲＴ（Cathode Ray Tube）等の表示画面により構成され、ＣＰＵ３０１から入力される制御信号に従って、表示画面に各種データを表示する。
【００３０】
外部記憶部３０７は、工事に関するデータとして、認証データ表示装置１と同様に、図５に示す工事テーブルＤ１、工程テーブルＤ２、写真テーブルＤ３を格納する。各テーブルのデータ構成は、認証データ表示装置１の外部記憶部１１２に記憶された各テーブルと同一であるため、ここでの説明は省略する。なお、サーバ３の外部記憶部３０７は、通信ネットワークＮ２に接続された施工者ＰＣ４及び発注者ＰＣ５から指示された全ての工事に関するデータを格納するのに対し、認証データ表示装置１の外部記憶部１１２は、サーバ３からダウンロードされた工事に関するデータのみを格納する。
【００３１】
通信Ｉ／Ｆ３０８は、サーバ３を通信ネットワークＮ２に接続するためのインターフェースである。通信Ｉ／Ｆ３０９は、サーバ３を移動体通信用の通信ネットワークＮ１に接続するためのインターフェースである。
【００３２】
図７に、撮影装置２の主要部構成を示す。撮影装置２は、図７に示すように、ＣＰＵ２０１、ＲＯＭ２０２、ＲＡＭ２０３、Ｖ−ＲＡＭ２０４、計時部２０５、電源部２０６、キー入力部２０７、撮像部２０８、表示部２０９、外部記憶部２１０、通信Ｉ／Ｆ２１１により構成され、各部は、バス２１２を介して接続される。
【００３３】
ＣＰＵ２０１は、ＲＯＭ２０２に記憶されているシステムプログラムを読み出し、ＲＡＭ２０３内に形成されたワークメモリに展開し、当該システムプログラムに従って、撮影装置２の各部を制御する。また、ＣＰＵ２０１は、ＲＯＭ２０２に記憶されている撮影処理プログラム等の各種制御処理プログラムを読み出してＲＡＭ２０３のワークメモリに展開し、撮影処理（図１３参照）等の各種処理を実行する。
【００３４】
ＲＯＭ２０２は、ＣＰＵ２０１により実行されるシステムプログラム、各種制御処理プログラムを記憶する。ＲＡＭ２０３は、ＣＰＵ２０１により実行されるシステムプログラム、各種制御処理プログラムをプログラム格納エリアに展開する。また、ＲＡＭ２０３は、入力データ及び各種制御処理プログラムの実行時に生じる処理結果等のデータをワークエリアに一時的に格納する。
【００３５】
Ｖ−ＲＡＭ２０４は、表示部２０９に表示するためのデータを保持する。計時部２０５は、ＣＰＵ２０１からの制御信号に従って、現在の日時、時刻を示すデータをＣＰＵ２０１に出力する。電源部２０６は、電池等により構成され、撮影装置２を構成する各部に電力を供給する。
【００３６】
キー入力部２０７は、電源スイッチ、シャッターキー、撮影に関する各種設定キー、カーソルキー等のキーを備え、キー操作に応じた操作信号をＣＰＵ２０１に出力する。
【００３７】
撮像部２０８は、撮像用の光学レンズユニット、ＣＣＤ（Charge Coupled Device）等の撮像素子を有し、シャッターキーの押下操作に応じてＣＰＵ２０１から入力される撮影指示により、工事現場における撮影対象を撮像し、その撮像画像を光電変換して撮影データとしてＣＰＵ２０１に出力する。
【００３８】
表示部２０９は、ＬＣＤ等の表示画面により構成され、ＣＰＵ２０１から入力される制御信号に従って、表示画面に各種データを表示する。
【００３９】
外部記憶部２１０は、撮像部２０８での撮像により得られた撮影データを記憶する。通信Ｉ／Ｆ２１１は、撮影装置２を認証データ表示装置１に接続するためのインターフェースである。
【００４０】
図８に、施工者ＰＣ４の主要部構成を示す。施工者ＰＣ４は、図８に示すように、ＣＰＵ４０１、ＲＯＭ４０２、ＲＡＭ４０３、Ｖ−ＲＡＭ４０４、キー入力部４０５、表示部４０６、外部記憶部４０７、通信Ｉ／Ｆ４０８により構成され、各部は、バス４０９を介して接続される。
【００４１】
ＣＰＵ４０１は、ＲＯＭ４０２に記憶されているシステムプログラムや制御処理プログラムを読み出し、ＲＡＭ４０３内に形成されたワークメモリに展開し、当該プログラムに従って、施工者ＰＣ４の各部を制御する。
【００４２】
ＲＯＭ４０２は、ＣＰＵ４０１により実行されるシステムプログラム、各種制御処理プログラムを記憶する。ＲＡＭ４０３は、ＣＰＵ４０１により実行されるシステムプログラム、各種制御処理プログラムをプログラム格納エリアに展開する。また、ＲＡＭ４０３は、入力データ及び各種制御処理プログラムの実行時に生じる処理結果等のデータをワークエリアに一時的に格納する。Ｖ−ＲＡＭ４０４は、表示部４０６に表示するためのデータを保持する。
【００４３】
キー入力部４０５は、文字／英数字入力キー、カーソルキー等の各種キーを有するキーボードと、ポインティングデバイスであるマウスを備え、キーボードやマウスの操作信号をＣＰＵ４０１に出力する。表示部４０６は、ＬＣＤ、ＣＲＴ等の表示画面により構成され、ＣＰＵ４０１から入力される制御信号に従って、表示画面に各種データを表示する。
【００４４】
外部記憶部４０７は、発注する工事に関するデータ等を格納する。通信Ｉ／Ｆ４０８は、施工者ＰＣ４を通信ネットワークＮ２に接続するためのインターフェースである。
【００４５】
なお、発注者ＰＣ５の主要部構成は、施工者ＰＣ４と同等であるため、ここでの説明は省略する。
【００４６】
次に、本実施形態における動作について説明する。
まず、図９のシーケンス図を参照して、画像撮影システム１００において実行される処理の手順について説明する。
【００４７】
まず、発注者ＰＣ５から施工者ＰＣ４に、文書によって工事が発注される（ステップＴ１）。次いで、工事の発注を受け付けた発注者ＰＣ４からサーバ３に、登録番号が申請され（ステップＴ２）、登録申請を受け付けたサーバ３から施工者ＰＣ４に登録番号が発行される（ステップＴ３）。
【００４８】
次いで、施工者ＰＣ４からサーバ３に、工事名、工程名が指示され（ステップＴ４）、その指示に基づいて、サーバ３から認証データ表示装置１への、工事名、工程名のデータのダウンロードが行われる（ステップＴ５）。認証データ表示装置１では、ダウンロードされたデータから工事名及び工程名が選択され（ステップＴ６）、認証データ表示装置１からサーバ３に、ステップＴ６で選択された工事名及び工程名の認証要求が行われる（ステップＴ７）。
【００４９】
認証データ表示装置１からの認証要求を受け付けたサーバ３では、該当する工事名及び工程名に対応する認証番号が発行され、その認証番号のデータが認証データ表示装置１に送信される（ステップＴ８）。
【００５０】
撮影装置２では、認証番号を表示した認証データ表示装置１を構図に入れて、工事現場の作業工程が撮影され（ステップＴ９）、撮影データが認証データ表示装置１に送信される（ステップＴ１０）。認証データ表示装置１では、ステップＴ１０で撮影装置２から受信した撮影データに、ステップＴ８でサーバ３から受信した認証番号を付加することによって、撮影データと認証番号が関連付けられ、撮影データ及びその認証番号がサーバ３に送信される（ステップＴ１１）。
【００５１】
認証データ表示装置１から作業工程の撮影データを受信したサーバ３では、その撮影データが電子メールにより、施工者ＰＣ４及び発注者ＰＣ５に送信される（ステップＴ１２、Ｔ１３）。サーバ３では、認証データ表示装置１等から、工事終了を通知する信号が受信されると（ステップＴ１４；Ｙ）、外部記憶部３０７から、該当する工事に関するデータが読み出されて工事完了報告書が作成され（ステップＴ１５）、その作成された工事完了報告書のデータが電子メールにより、施工者ＰＣ４及び発注者ＰＣ５に送信される（ステップＴ１６、Ｔ１７）。
【００５２】
以下、図９に示した画像撮影システム１００で実行される処理のうち、認証データ表示装置１、撮影装置２、サーバ３で実行される処理を詳細に説明する。
まず、図１０のフローチャートを参照して、認証データ表示装置１において実行される認証処理について説明する。図１０に示す認証処理は、図９のステップＴ５〜Ｔ８に対応する。
【００５３】
まず、ダウンロードデータの受信処理が選択され（ステップＳ１）、ダウンロードデータが受信可能な状態となる。サーバ３からダウンロードデータが受信されると（ステップＳ２；Ｙｅｓ）、その受信されたダウンロードデータが外部記憶部１１２に記憶される（ステップＳ３）。次いで、ダウンロードデータの中から、認識データ表示装置１が設置された場所で実施する工事及び工程の名称（工事名及び工程名）が選択され（ステップＳ４）、その選択された工事名及び工程名が表示部１１１に表示される（ステップＳ５）。
【００５４】
次いで、ステップＳ４で選択された工事名及び工程名のデータに、現在の日時データと、ＧＰＳ位置認識部１０５で測定された認識データ表示装置１の位置データが付帯され、サーバ３に対し、該当する工事名及び工程名の認証要求が行われる（ステップＳ６）。サーバ３から、該当する工事名及び工程名に対応する認証番号のデータが受信されると（ステップＳ７；Ｙｅｓ）、受信されたデータがエラー結果を示すデータであるか否かが判定される（ステップＳ８）。
【００５５】
ステップＳ８において、受信されたデータが正しい認証番号のデータであると判定された場合（ステップＳ８；Ｎｏ）、当該認証番号のデータが、該当する工事名及び工程名に対応付けて外部記憶部１１２に記憶される（ステップＳ９）。次いで、その認証番号が、工事名、工程名、登録番号、日時、場所とともに、表示部１１１に表示される（ステップＳ１０）。図１１（ａ）に、認証番号等の表示例を示す。
【００５６】
ステップＳ８において、受信されたデータがエラー結果を示すデータであると判定された場合（ステップＳ８；Ｙｅｓ）、表示部１１１にエラーメッセージが表示され（ステップＳ１１）、本認証処理が終了する。図１１（ｂ）に、表示部１１１に表示されるエラーメッセージの一例を示す。ステップＳ１１では、エラーメッセージとして、警告文の他、登録番号、工事名、工程名、日時、場所が表示される。
【００５７】
表示部１１１に認証番号が表示されると、計時部２０５による計時が開始され、認証番号の表示後、所定時間が経過すると（ステップＳ１２；Ｙｅｓ）、表示部１１１に表示中の認証番号がクリアされ（ステップＳ１３）、ステップＳ６に戻り、再度、認証要求が行われ、その後、ステップＳ７〜Ｓ１２の処理が繰り返される。所定時間経過前に、他の処理が指定された場合などは（ステップＳ１２；Ｎｏ）、本認証処理が終了する。
【００５８】
次に、図１２を参照して、サーバ３において実行される認証番号生成処理について説明する。図１２に示す認証番号生成処理は、図９のステップＴ７及びＴ８に対応する。
【００５９】
認証データ表示装置１から認証要求が受信されると（ステップＳ２０；Ｙｅｓ）、外部記憶部３０７に格納されたデータの中で、当該認証要求で指定された工事名及び工程名が検索される（ステップＳ２１）。
【００６０】
次いで、認証データ表示装置１からの認証要求で受信された日時データ及び位置データと、外部記憶部３０７に設定された予定日時データ及び位置データを比較することにより、受信された日時データ及び位置データが所定の範囲にあるか否かがチェックされる（ステップＳ２２）。ステップＳ２２では、具体的に、予め設定された該当工事に関する予定日時データと、受信された日時データとの差が所定日数（例えば、５日）内であるか否かにより日時データがチェックされる。また、ステップＳ２２では、予め設定された該当工事に関する位置データと、受信された位置データとの差が所定の距離（例えば、１００ｍ）内であるか否かにより位置データがチェックされる。
【００６１】
ステップＳ２２のチェックにより、受信された日時データ及び位置データが所定範囲にあると判定された場合（ステップＳ２３；Ｙｅｓ）、指定された工事名及び工程名に対応する認証番号が生成される（ステップＳ２４）。次いで、ステップＳ２４で生成された認証番号のデータが工程テーブルＤ２に記憶され（ステップＳ２５）、当該認証番号のデータが、認証要求をした認証データ表示装置１に送信され（ステップＳ２６）、本認証番号生成処理が終了する。ステップＳ２２のチェックにより、受信された日時データ及び／又は位置データが所定範囲を超えていると判定された場合（ステップＳ２３；Ｎｏ）、認証要求をした認証データ表示装置１に、エラー結果を通知する信号が送信され（ステップＳ２７）、本認証番号生成処理が終了する。
【００６２】
次に、図１３のフローチャートを参照して、撮影装置２において実行される撮影処理について説明する。図１３に示す撮影処理は、図９のステップＴ９及びＴ１０に対応する。
【００６３】
撮影装置２には、通常の撮影モードと、作業工程別の撮影データを逐次記録する認証モードがある。キー入力部２０７の操作により認証モードが指定されると、認証モードが設定される（ステップＳ３０）。認証モードが設定されると、キー入力部２０７の操作により、図１４に示すように、三脚台に支持された認証データ表示装置１を構図に入れて、工事現場の作業工程が撮影される（ステップＳ３１）。この認証データ表示装置１には、図１１（ａ）に示すように、工事名、工程名、認証番号等が表示されている。
【００６４】
工事現場の作業工程が撮影されると、計時部２０５により、撮影日時を示す計時データが作成され（ステップＳ３２）、外部記憶部２１０に撮影データが記憶される（ステップＳ３３）。キー入力部２０７により、作業工程の終了が指示されるまでは、ステップＳ３１〜Ｓ３３の処理が繰り返される。
【００６５】
キー入力部２０７により、作業工程の終了が指示されると（ステップＳ３４；Ｙｅｓ）、一連の作業工程の撮影で得られた撮影データが認証データ表示装置１に送信され（ステップＳ３５）、本撮影処理が終了する。
【００６６】
次に、図１５のフローチャートを参照して、認証データ表示装置１において実行される撮影データ受信処理について説明する。図１５に示す撮影データ受信処理は、図９のステップＴ１０及びＴ１１に対応する。
【００６７】
まず、撮影データの受信処理が選択され（ステップＳ４０）、撮影データが受信可能な状態となる。撮影装置２から撮影データが受信されると（ステップＳ４１；Ｙｅｓ）、その受信された撮影データに工程番号を付加することにより、撮影データと作業工程が関連付けられる（ステップＳ４２）。図５及び図６に示すように、工程番号と認証番号は１対１に対応しているため、ステップＳ４２では、撮影データと認証番号が関連付けられることになる。
【００６８】
次いで、認証番号と関連付けられた撮影データが外部記憶部１１２に記憶され（ステップＳ４３）、当該撮影データがサーバ３に送信され（ステップＳ４４）、撮影データ受信処理が終了する。
【００６９】
次に、図１６のフローチャートを参照して、サーバ３において実行される撮影データ送受信処理について説明する。図１６に示す撮影データ送受信処理は、図９のステップＴ１１〜Ｔ１７に対応する。
【００７０】
認証データ表示装置１から撮影データが受信されると（ステップＳ５０；Ｙｅｓ）、その受信された撮影データが認証番号と対応付けて外部記憶部３０７に記憶され（ステップＳ５１）、当該撮影データが電子メール文に添付される（ステップＳ５２）。次いで、工事テーブルＤ１及び工程テーブルＤ２から、該当する認証番号に対応する登録番号と、当該登録番号に対応する送付先（電子メールアドレス）が検索され、検索で得られた施工者ＰＣ４及び発注者ＰＣ５の電子メールアドレス宛に、撮影データが添付された電子メールが送信される（ステップＳ５３）。
【００７１】
ステップＳ５３において電子メールが送信されると、工事終了指示の有無が確認される（ステップＳ５４）。ステップＳ５４において、例えば、認証データ表示装置１から工事終了を通知する信号が受信されることにより、工事終了指示が確認されると（ステップＳ５４；Ｙｅｓ）、工事テーブルＤ１、工程テーブルＤ２及び写真テーブルＤ３から、該当する工事に関するデータが検索され、検索により抽出されたデータに基づいて、図１７に示すような工事完了報告書が作成される（ステップＳ５５）。図１７に示したように、この工事完了報告書には、該当する工事の各作業工程の写真が添付されている。
【００７２】
次いで、ステップＳ５５で作成された工事完了報告書が、電子メール文に添付される（ステップＳ５６）。次いで、工事テーブルＤ１から、該当する工事に対応する送付先（電子メールアドレス）が検索され、検索で得られた施工者ＰＣ４及び発注者ＰＣ５の電子メールアドレス宛に、工事完了報告書が添付された電子メールが送信され（ステップＳ５７）、本撮影データ送受信処理が終了する。ステップＳ５４において、工事終了が確認できない場合は（ステップＳ５４；Ｎｏ）、工事完了報告書は作成されずに、撮影データ送受信処理が終了する。
【００７３】
このように、サーバ３は、施工者ＰＣ４及び発注者ＰＣ５から指示された工事名及び工程名に対応する工事データ（工事に関するデータ）を外部記憶部３０７に記憶することにより、施工者ＰＣ４及び／又は発注者ＰＣ５から指定されたデータを外部記憶部３０７から検索し、検索により得られたデータを施工者ＰＣ４及び発注者ＰＣ５に送信することが可能となる。
【００７４】
以上のように、本実施形態の画像撮影システム１００によれば、認証番号と、工事現場の作業工程に関するデータを認証データ表示装置１に表示し、その表示されたデータを、工事現場の撮影対象とともに同一のコマで撮影するようにしたことにより、工事現場の撮影データの信憑性を保証するとともに、撮影データの改竄を防止することができる。
【００７５】
また、工事現場の撮影データをサーバ３に送信し、その撮影データをサーバ３から施工者ＰＣ４及び発注者ＰＣ５に送信するようにしたことにより、工事の施工者及び発注者は、工事の進捗状況をリアルタイムに把握することができる。
【００７６】
なお、本実施形態における記述内容は、本発明の趣旨を逸脱しない範囲で適宜変更可能である。
【００７７】
例えば、本実施形態では、認証データ表示装置１が、撮影データの信憑性を保証するための認証データ（認証番号）を表示するための専用の装置である場合を示したが、ノート型のＰＣ、ＰＤＡ（Personal Digital Assistance）、携帯電話等、移動体通信が可能な各種機器で代用することができる。
【００７８】
また、本実施形態では、認証データ表示装置１には、図１１（ａ）に示すように、認証番号とともに、登録番号、工事名、工程名、日時、場所が表示される場合を示したが、認証番号のみを表示するようにしてもよい。
【００７９】
更に、本実施形態では、施工者が、発注者からの文書による発注を受けて、サーバ３に工事データの登録を依頼しているが、施工者を介さずに発注者が工事データの登録を依頼するようにしてもよい。
【図面の簡単な説明】
【００８０】
【図１】本発明の実施形態における画像撮影システムの構成を示す図。
【図２】認証データ表示装置の外観図。
【図３】認証データ表示装置の主要部構成を示すブロック図。
【図４】サーバの主要部構成を示すブロック図。
【図５】認証データ表示装置及びサーバで使用される各テーブルのデータ構成を示す図。
【図６】工事テーブルの例（ａ）、工程テーブルの例（ｂ）、写真テーブルの例（ｃ）を示す図。
【図７】撮影装置の主要部構成を示すブロック図。
【図８】クライアントコンピュータの主要部構成を示すブロック図。
【図９】画像撮影システムにおける処理手順を示すシーケンス図。
【図１０】認証データ表示装置において実行される認証処理を示すフローチャート。
【図１１】認証データ表示装置での表示例を示す図。
【図１２】サーバにおいて実行される認証番号生成処理を示すフローチャート。
【図１３】撮影装置において実行される撮影処理を示すフローチャート。
【図１４】撮影装置による撮影データの例を示す図。
【図１５】認証データ表示装置において実行される撮影データ受信処理を示すフローチャート。
【図１６】サーバにおいて実行される撮影データ送受信処理を示すフローチャート。
【図１７】サーバで作成される工事完了報告書の一例を示す図。
【符号の説明】
【００８１】
１  認証データ表示装置
２  撮影装置
３  サーバ
４  クライアントコンピュータ（施工者ＰＣ）
５  クライアントコンピュータ（発注者ＰＣ）
１００  画像撮影システム
１０１、３０１  ＣＰＵ
１０２、３０２  ＲＯＭ
１０３、ＲＡＭ  ＲＡＭ
１０４、３０４  Ｖ−ＲＡＭ
１０５  ＧＰＳ位置認識部
１０６  計時部
１０７  電源部
１０８、３０５  キー入力部
１０９  タッチパネル
１１０  スピーカ
１１１、３０６  表示部
１１２、３０７  外部記憶部
１１３、１１４、３０８、３０９  通信Ｉ／Ｆ
Ｄ１  工事テーブル
Ｄ２  工程テーブル
Ｄ３  写真テーブル
Ｎ１、Ｎ２  通信ネットワーク
【図１】
2006101083.tif 000003
【図２】
2006101083.tif 000004
【図３】
2006101083.tif 000005
【図４】
2006101083.tif 000006
【図５】
2006101083.tif 000007
【図６】
2006101083.tif 000008
【図７】
2006101083.tif 000009
【図８】
2006101083.tif 000010
【図９】
2006101083.tif 000011
【図１０】
2006101083.tif 000012
【図１１】
2006101083.tif 000013
【図１２】
2006101083.tif 000014
【図１３】
2006101083.tif 000015
【図１４】
2006101083.tif 000016
【図１５】
2006101083.tif 000017
【図１６】
2006101083.tif 000018
【図１７】
2006101083.tif 000019